(57)【特許請求の範囲】
【請求項１】
上面に下から順にフラットケーブルの先端部及びコネクタが載置されるテーブルと、該テーブルの前記上面に載置された前記フラットケーブルを固定する固定部材と、前記テーブルの前記上面に下から順に前記フラットケーブル先端部及び前記コネクタを載置することにより圧接の準備をする準備位置と圧接準備状態の前記コネクタを上から押圧することにより該圧接準備状態のコネクタを前記フラットケーブル先端部に圧接する、前記準備位置から離れた圧接位置との間で前記テーブルを移動自在に案内するガイド部材とを備えた圧接装置において、
前記固定部材は、前記テーブル上面から離れる方向にばね付勢されており、
前記圧接装置は、前記固定部材を前記テーブルに係止する係止部材と、該係止部材による前記固定部材の係止を解除する解除部材とをさらに具備し、
前記テーブルが前記圧接位置から前記準備位置に戻されることにより、前記解除部材が前記係止部材を押圧して前記固定部材の係止を解除することを特徴とする圧接装置。
【発明の詳細な説明】
【０００１】
【産業上の利用分野】
本発明は、フラットケーブル（リボンケーブル）の先端部にコネクタを圧接接続する圧接装置に関する。
【０００２】
【従来の技術】
複数の圧接型コンタクトを有するコネクタにフラットケーブルを圧接接続する圧接装置が従来から使われている（例えば米国特許第４０２０５４０号明細書参照）。
図２０は、この明細書に記載された圧接装置を示す斜視図である。
【０００３】
圧接装置１０には、略「コ」の字状の基台１１と、上面１２ａに下から順にフラットケーブル１４の先端部及びコネクタ１６が載置されるテーブル１２が備えられており、このテーブル１２は、ガイドレール１８に案内されて矢印２０で示す方向に移動自在に構成されている。テーブル１２の上面１２ａに載置されたフラットケーブル１４は、フラットケーブル押え具２２で押えられて固定される。コネクタ１６は、一対のコネクタガイド部材２４に案内されてフラットケーブル１４に載置される。このように、テーブル１２の上面１２ａに下から順にフラットケーブル１４の先端部及びコネクタ１６が載置されて圧接の準備がされる位置が準備位置とよばれ、圧接準備状態のコネクタを上から押圧することによりこのコネクタをフラットケーブルの先端部に圧接する位置が圧接位置と呼ばれ、図２０では、テーブル１２が準備位置に移動した状態が示されている。テーブル１２が圧接位置に移動されると、手動で矢印２６の方向にハンドル２８を回動してラム３０を下方に移動させて圧接具３２によりフラットケーブル１４の先端部にコネクタ１６が圧接接続される。
【０００４】
【発明が解決しようとする課題】
ところが、上記の圧接装置１０では、フラットケーブル１４にコネクタ１６を圧接接続して圧接装置１０から取り出すに当たり、上記の圧接位置から準備位置までテーブル１２を移動させ、フラットケーブル１４からフラットケーブル押え具２２等を作業者の手で取り外す必要があり、操作性が悪いという問題がある。
【０００６】
本発明は、上記事情に鑑み、フラットケーブルにコネクタを圧接接続した後にこのコネクタを容易に取り出すことのできる操作性の良い圧接装置を提供することを目的とする。
【０００７】
【課題を解決するための手段】
上記目的を達成するための本発明の圧接装置は、上面に下から順にフラットケーブルの先端部及びコネクタが載置されるテーブルと、このテーブルの上記上面に載置された上記フラットケーブルを固定する固定部材と、上記テーブルの上記上面に下から順に上記フラットケーブル先端部及び上記コネクタを載置することにより圧接の準備をする準備位置と圧接準備状態の上記コネクタを上から押圧することによりこの圧接準備状態のコネクタを上記フラットケーブル先端部に圧接する、上記準備位置から離れた圧接位置との間で上記テーブルを移動自在に案内するガイド部材とを備えた圧接装置において、
上記固定部材は、上記テーブル上面から離れる方向にばね付勢されており、
上記圧接装置は、上記固定部材を上記テーブルに係止する係止部材と、この係止部材による上記固定部材の係止を解除する解除部材とをさらに具備し、
上記テーブルが上記圧接位置から上記準備位置に戻されることにより、上記解除部材が上記係止部材を押圧して上記固定部材の係止を解除することを特徴とするものである。
【００１０】
【作用】
本発明の圧接装置によれば、テーブルが圧接位置から準備位置に戻されることにより、係止部材に係止された固定部材の係止が解除部材により解除されるので操作性が良い。
【００１１】
【実施例】
以下、本発明の圧接装置の一実施例について説明する。
図１は本発明の圧接装置の一実施例を示す斜視図、図２は図１の圧接装置の側面図、図３は図２に示す圧接装置のＡ−Ａ矢視図である。
圧接装置４０は、略「コ」の字状の基台４２と、上面４４ａに下から順にフラットケーブル４６（図１１参照）の先端部及びコネクタ４８（図１１参照）が載置されるテーブル４４を備えている。このテーブル４４はベース４５に固定され、矢印５０で示す方向にハンドル５２を動かすことにより、テーブル４４はベース４５と共にガイドレール５４に案内されて自在に移動するように構成されている。テーブル４４の中央部には、フラットケーブル４６の先端部にコネクタ４８（図１７参照）を圧接する際にこのフラットケーブル４６を挟んだ状態にこのコネクタ４８に取り付けられるカバーハウジング５６を収容する収容溝５８（図３参照）と、フラットケーブル４６の先端部に載置されたコネクタ４８の一部が挿入される挿入溝６０，６０が形成されている。この挿入溝６０，６０のいずれか一方には、フラットケーブルの先端部に載置されるコネクタの位置決めをするＵ字状部材６２（本発明にいうコネクタ位置決め部材の一例）が挿入され、ビス６４で固定される。また、テーブル４４の上面４４ａのうち中央部を挟んだ両側の位置それぞれには、フラットケーブル４６の先端面が当接することによりフラットケーブル４６の位置決めをするフラットケーブル位置決め部材６６、及びテーブル４４の上面４４ａに載置されたフラットケーブル４６を上から押えて固定するフラットケーブル押え部材６８が配置され、これらはテーブル４４に係止され互いに交換自在に構成されている。フラットケーブル位置決め部材６６の、フラットケーブル４６に対向する面には金属板６６ａが貼り付けられており、この金属板６６ａは、収容溝５８に収容されたカバーハウジング５６を固定する機能も有する。フラットケーブル押え部材６８の、フラットケーブル４６に対向する面にはゴム板６８ａが両面テープで貼り付けられている。上述したように、テーブル４４は、矢印５０で示す方向にハンドル５２を動かすことによりガイドレール５４に案内されて自在に移動し、図３に示す準備位置７０において、テーブル４４の上面４４ａに下から順にフラットケーブル４６の先端部及びコネクタ４８が載置されて圧接の準備がなされる。圧接準備状態のコネクタ４８は、図３に示す圧接位置７２において、手動で矢印７４の方向にハンドル７６が回動してラム７８が下方に移動されることにより圧接具８０によりフラットケーブル４６の先端部に圧接接続される。
【００１２】
図４から図７までを参照して、フラットケーブル位置決め部材６６及びフラットケーブル押え部材６８がテーブル４４に取り付けられる構造の詳細について説明する。
図４は圧接装置を示す正面図、図５は図４のＢ−Ｂ断面図、図６はテーブルを後方から観察した斜視図、図７は図６とは角度を変えてテーブルを後方から観察した斜視図であり、図１から図３までに示した要素と同じ要素は同じ符号で示す。
【００１３】
フラットケーブル位置決め部材６６及びフラットケーブル押え部材６８それぞれの一端部はテーブル４４の側面４４ｂに蝶ねじ８２で固定されており、他端部は回動軸８４を中心にばね８６により、テーブル４４の上面４４ａから離れる方向に付勢されている。このため、フラットケーブル位置決め部材６６及びフラットケーブル押え部材６８双方は、テーブル４４に係止されていない状態では、例えば図７に示すように、テーブル４４の上面４４ａから離れる方向に開いている。しかし、テーブル４４の上面４４ａに接触するように押し付けられると、ばね性をもってテーブル４４に固定された係止部材８８に係止される。この係止は、テーブル４４が圧接位置７２（図３参照）から準備位置７０に戻され、ガイドレール５４の端のテーブル止め９０（図８参照）に設けられたボルト９２（本発明にいう解除部材の一例）により係止部材８８が押圧されて係合が外れることにより解除される。
【００１４】
次に、図８から図１２までを参照して、テーブル４４（図１参照）の上面４４ａに下から順にフラットケーブルの先端部及びコネクタを載置する圧接準備と、コネクタをフラットケーブルに圧接接続する圧接作業について説明する。
図８は圧接準備を始める前の状態を示す斜視図、図９はカバーハウジング５６が収容溝に収容された状態を示す斜視図、図１０はフラットケーブル位置決め部材６６で位置決めされると共にフラットケーブル押え部材６８で押えられてフラットケーブルがテーブルに固定された状態を示す斜視図、図１１はテーブルに固定されたフラットケーブルにコネクタが載置された状態を示す斜視図、図１２は図１１とは同じ状態をテーブルの後方から観察した状態を示す斜視図である。
【００１５】
準備位置７０（図３参照）で圧接準備を始めるに当たっては、図８に示す圧接準備前のテーブル４４の収容溝５８に、図９に示すようにカバーハウジング５６を収容する。次に、フラットケーブル位置決め部材６６をばね８６の付勢力に逆らってテーブル４４の上面４４ａに向けて押圧し係止部材８８に係止する。これにより、カバーハウジング５６が固定されると共にフラットケーブル４６の先端を位置決めできる状態となる。フラットケーブル４６の先端をフラットケーブル位置決め部材６６に当接させてフラットケーブル４６の位置決めを行う。フラットケーブル４６の位置決めが終了すると、フラットケーブル押え部材６８をばね８６の付勢力に逆らってテーブル４４の上面４４ａに向けて押圧し係止部材８８に係止する。これにより、図１０に示すようにフラットケーブル４６の固定が終了する。フラットケーブル４６の固定が終了すると、図１１及び図１２に示すように、フラットケーブルの先端部にコネクタ４８を載置する。これにより、圧接準備が終了し、ハンドル５２を動かしてテーブル４４を圧接位置７２（図３参照）に移動させる。圧接位置７２にはストッパ９４が設けられており、このストッパ９４がテーブル４４に当接することによりテーブル４４のオーバーランが防止される。また、図２に示すように、ベース４５に設けられたテーブル位置決め具４４ｃと圧接具８０に設けられた位置決め具８０ａとにより、テーブル４４が正確に圧接位置７２に停止して正確な圧接が行われる。
【００１６】
次に、図１３から図１６までを参照して、圧接装置の各部品の詳細を説明する。
図１３はテーブル４４（例えば図１参照）を示す、（ａ）は平面図、（ｂ）は背面図、（ｃ）は正面図、（ｄ）はＣ−Ｃ断面図、（ｅ）はＤ−Ｄ断面図であり、上述した図に示す要素と同じ要素は同じ符号で示す。
【００１７】
テーブル４４には、テーブル４４をベース４５（例えば図１参照）にビス等で固定するためのベース固定用孔１００や、ハンドル５２（例えば図１参照）を取り付けるハンドル取付用孔１０２が形成されており、ハンドル取付用孔１０２はハンドル５２を左右のどちらにも取り付けることができるようにテーブル４４の左右の側面４４ｄ，４４ｅに形成されている。また、蝶ねじ８２（例えば図５参照）をビス等で取り付ける蝶ねじ取付用孔１０４も形成されている。さらに、係止部材８８（例えば図１参照）を固定する凹部１０６には、係止部材８８をビス等で固定する係止部材固定用孔１０８が形成されている。また、上述したようにコネクタ４８（例えば図１１参照）の一部が挿入される挿入溝６０が形成されており、この挿入溝６０に挿入されてコネクタ４８の位置決めをするＵ字状部材６２（例えば図１参照）をビス等で着脱自在に固定するためのＵ字状部材固定用孔１１０が形成されている。
【００１８】
図１４は、フラットケーブル位置決め部材６６（例えば図８参照）を示す、（ａ）は平面図、（ｂ）は側面図であり、上述した図に示す要素と同じ要素は同じ符号で示す。
上述したようにフラットケーブル位置決め部材６６及びフラットケーブル押え部材６８にはそれぞれ金属板６６ａ及びゴム板６８ａが貼り付けられているが、金属板６６ａ及びゴム板６８ａを除いた部品は近似した形状をしており、ここでは、金属板６６ａを取り外したフラットケーブル位置決め部材６６を示す。
【００１９】
フラットケーブル位置決め部材６６は、２枚の平板を連結して形成され（図１４には一平面に延ばした状態を示す）、円筒状の連結部６７に金属製の棒（図示せず）が挿入されて回動自在になっている。また、フラットケーブル位置決め部材６６には、係止部材８８（例えば図１参照）が係止する係止孔１１２、金属板６６ａをビス等で固定するための金属板固定用孔１１４、ばね８６（例えば図５参照）を固定するためのばね固定用孔１１６が形成されている。また、蝶ねじ８２（例えば図５参照）で固定されるための蝶ねじ用溝１１８が形成されている。
【００２０】
図１５は、係止部材８８（例えば図１参照）を示す、（ａ）は側面図、（ｂ）は正面図、（ｃ）は部分拡大図である。
係止部材８８には、この係止部材８８をテーブル４４（例えば図１参照）の凹部１０６（図１３参照）にビス等で固定するための固定用孔１２０が形成されている。係止部材８８の先端部は、図１５（ｃ）に示すように、角度θが約４５°となる程度に曲げ加工されている。
【００２１】
図１６は、Ｕ字状部材６２（例えば図１参照）を示す、（ａ）は正面図、（ｂ）は側面図、（ｃ）は平面図である。
このＵ字状部材６２は、コネクタ４８（例えば図１１参照）の形状に応じた種々のサイズを有しており、挿入溝６０（例えば図１３参照）に挿入されて確実に固定されるための切欠１２２が形成されている。ビス６４（図１参照）と切欠１２２が互いに係合することによりＵ字状部材６２が確実に固定される。
【００２２】
次に、図１７から図１９までを参照して、圧接装置４０（例えば図１参照）によりフラットケーブル４６（例えば図１０参照）に圧接接続されるコネクタとカバーハウジングを説明する。
図１７はコネクタを示す、（ａ）は平面図、（ｂ）は（ａ）のＥ−Ｅ線に沿って部分的に破断した部分断面図、（ｃ）は側面図、（ｄ）は底面図である。
【００２３】
コネクタ４８には、フラットケーブル４６に圧接される複数の圧接コンタクト１２４が配列されている。また、このコネクタ４８の左側端部４８ａと右側端部４８ｂの形状は異なっており、ここでは、挿入溝６０（例えば図１３参照）にＵ字状部材６２が挿入されていると左側端部４８ａが挿入溝６０に挿入できないように左側端部４８ａが大きくなっている。これにより、コネクタ４８をフラットケーブル４６に載置する際の向きを間違えることがない。また、このコネクタ４８には、後述するように、カバーハウジング５６の足部５６ａが挿入される足部挿入用凹部４８ｃが形成されている。
【００２４】
図１８は、カバーハウジング５６（例えば図９参照）を示す、（ａ）は正面図、（ｂ）は平面図、（ｃ）は底面図、（ｄ）は側面図である。
このカバーハウジング５６は、上述したように、フラットケーブル４６の先端部に圧接されるコネクタ４８との間にこのフラットケーブル４６を挟んだ状態にこのコネクタ４８に取り付けられるものであり、フラットケーブル４６にコネクタ４８を圧接接続するに先立って収容溝５８に収容される。カバーハウジング５６の足部５６ａが、コネクタ４８の足部挿入用凹部４８ｃに挿入されることによりコネクタ４８に取り付けられる。
【００２５】
図１９は、コネクタ４８にカバーハウジング５６が取り付けられた状態を示す正面図である。このようにコネクタ４８との間でフラットケーブル４６を挟むことにより、フラットケーブル４６の抜けが防止される。
【００２６】
【発明の効果】
以上説明したように本発明の圧接装置によれば、テーブルが圧接位置から準備位置に戻されることにより、係止部材に係止されたフラットケーブル位置決め部材及びフラットケーブル押え部材双方の係止が解除部材により解除される。このように本発明によれば、操作性が良い圧接装置が得られる。
【図面の簡単な説明】
【図１】本発明の圧接装置の一実施例を示す斜視図である。
【図２】図１の圧接装置の側面図である。
【図３】図２の圧接装置のＡ−Ａ矢視図である。
【図４】図１の圧接装置を示す正面図である。
【図５】図４のＢ−Ｂ断面図である。
【図６】テーブルを後方から観察した斜視図である。
【図７】図６とは角度を変えてテーブルを後方から観察した斜視図である。
【図８】圧接準備を始める前の状態を示す斜視図である。
【図９】カバーハウジングが収容溝に収容された状態を示す斜視図である。
【図１０】フラットケーブル位置決め部材で位置決めされると共にフラットケーブル押え部材６８で押えられてフラットケーブルがテーブルに固定された状態を示す斜視図である。
【図１１】テーブルに固定されたフラットケーブルにコネクタが載置された状態を示す斜視図である。
【図１２】図１１とは同じ状態をテーブルの後方から観察した状態を示す斜視図である。
【図１３】テーブルを示す、（ａ）は平面図、（ｂ）は背面図、（ｃ）は正面図、（ｄ）はＣ−Ｃ断面図、（ｅ）はＤ−Ｄ断面図である。
【図１４】フラットケーブル位置決め部材を示す、（ａ）は平面図、（ｂ）は側面図である。
【図１５】係止部材を示す、（ａ）は側面図、（ｂ）は正面図、（ｃ）は部分拡大図である。
【図１６】Ｕ字状部材を示す、（ａ）は平面図、（ｂ）は側面図、（ｃ）は平面図である。
【図１７】コネクタを示す、（ａ）は平面図、（ｂ）は（ａ）のＥ−Ｅ線に沿って部分的に破断した部分断面図、（ｃ）は側面図、（ｄ）は底面図である。
【図１８】カバーハウジングを示す、（ａ）は正面図、（ｂ）は平面図、（ｃ）は底面図、（ｄ）は側面図である。
【図１９】コネクタにカバーハウジングが取り付けられた状態を示す正面図である。
【図２０】従来の圧接装置を示す斜視図である。
【符号の説明】
４０  圧接装置
４４  テーブル
４６  フラットケーブル
４８  コネクタ
６０  挿入溝
６２  Ｕ字状部材
６６  フラットケーブル位置決め部材
６８  フラットケーブル押え部材
７０  準備位置
７２  圧接位置
８８  係止部材
９２  ボルト
【図１】
0003683603.tif 000002
【図２】
0003683603.tif 000003
【図３】
0003683603.tif 000004
【図４】
0003683603.tif 000005
【図５】
0003683603.tif 000006
【図６】
0003683603.tif 000007
【図７】
0003683603.tif 000008
【図８】
0003683603.tif 000009
【図９】
0003683603.tif 000010
【図１０】
0003683603.tif 000011
【図１１】
0003683603.tif 000012
【図１２】
0003683603.tif 000013
【図１３】
0003683603.tif 000014
【図１４】
0003683603.tif 000015
【図１５】
0003683603.tif 000016
【図１６】
0003683603.tif 000017
【図１７】
0003683603.tif 000018
【図１８】
0003683603.tif 000019
【図１９】
0003683603.tif 000020
【図２０】
0003683603.tif 000021